(57)【要約】【課題】高性能、大能力化が要求され、平面サイズのコンパクト化が進む中、施工時等運搬の際に使用する取っ手を持ちやすく、かつ効率的に配置するのが困難となっている。【解決手段】所定の寸法の空間Ｓによりほぼ均等に上下２段に分割された熱交換器３の空間Ｓに突出した取っ手１８を設けることにより、平面構成上、熱交換器３をファン１４方向へ押しやることもなく、性能に大きく寄与するファン１４の径寸法を十分に確保した送風回路１３が可能となり、また、上下にほぼ均等に分割された上下熱交換器３ａ、３ｂにそれぞれ対応してファン１４ａ、１４ｂがバランスよく配置されているので送風バランスも確保され、高能力、高性能を実現し、かつ持ちやすく安定して運搬できる室外機となる。【選択図】図４
2007333255.tif 000002
【特許請求の範囲】
【請求項１】
本体の底面を形成する基板上に、前記本体の一方の側面と背面に面してＬ型に形成され所定の寸法の空間を有してほぼ均等に上下２段に分割された熱交換器と、前記熱交換器の分割に対応して上下２個のファン及びファンモータとを備え、前記本体を運搬するための取っ手を前記熱交換器の空間を利用して設けたことを特徴とする空気調和機の室外機。
【請求項２】
熱交換器に面した本体の側面を形成する側板に取っ手を配置したことを特徴とする請求項１に記載の空気調和機の室外機。
【請求項３】
本体の背面を形成する後板に第１の取っ手を配置し、前面を形成するオリフィスを具備する前板の前記第１の取っ手と相対面する位置に第２の取っ手を配置したことを特徴とする請求項１に記載の空気調和機の室外機。
【請求項４】
上下２段に分割された熱交換器において、上熱交換器の高さをＨａ、下熱交換器の高さをＨｂとし、前記熱交換器の空間の高さをＨｓ、前記熱交換器の全長（平均）をＬ、取っ手の奥行きをＤとした時、
Ｄ・（Ｈａ＋Ｈｓ＋Ｈｂ）＞Ｌ・Ｈｓ
を満足することを特長とする請求項１〜３のうちいずれか一項に記載の空気調和機の室外機。
【発明の詳細な説明】
【技術分野】
【０００１】
本発明は、運搬用の取っ手を有する空気調和機の室外機に関するものである。
【背景技術】
【０００２】
従来のこの種の空気調和機について説明する。図１１は従来の空気調和機の室外機の平面要部断面図で、図１２は従来の他の空気調和機の室外機の平面要部断面図である。
【０００３】
図１１において、室外機１０１の運搬用の取っ手１１８の一つは左側面１０１ａに配置されている。室外機１０１の底面を形成する基板１０２上には、室外機１０１の左側面１０１ａと背面１０１ｂに面してＬ型に形成された熱交換器１０３が配置されているが、左側面１０１ａ側は取っ手１１８に当たらないように、熱交換器１０３を取っ手１１８の奥行き寸法Ｄ以上短くして配置されていた（例えば、特許文献１参照）。
【０００４】
あるいは、図１２に示すように、熱交換器２０３を短くせずに配置するために、室外機２０１の取っ手２１８は、Ｌ型に形成された熱交換器２０３のコーナー部の隙間Ｅに室外機２０１の左側面２０１ａを形成する側板２１７より突出して配置されていた。
【特許文献１】特開平６−３００３１４号公報
【発明の開示】
【発明が解決しようとする課題】
【０００５】
しかしながら、上記従来の構成では、高性能、高能力化が進み室外機の熱交換器や送風機ができる限り大きいものが採用される一方、他方ではコンパクト化が進み、特に設置上優先される平面スペースが制限され、幅寸法と奥行き寸法が抑えられる傾向にあるなか、比較的自由な高さ方向の寸法を増やし送風機を複数個配置する等工夫されている。さらに、取っ手については、設置に際しての運搬の面から持ちやすい形状とともに、製品本体から出っ張らず美観を損なうことがないものを提供することが必要な中にあって、従来の構成は両者とも平面上で熱交換器を避ける形態で、前者では持ちやすさに配慮して取っ手を配置したため、熱交換器の全長がその分だけ短くなったり、さらにファンの径が小さくなったりして能力が犠牲になるか、さもなければ室外機の長さを長くして、実質大型化するものであった。また後者では、狭いスペースで小さめで歪んだ形状の取っ手が熱交換器を避ける形でコーナー部に配置され、運搬の際には手の指が十分に引っかからずに持ちにくいという課題を有していた。
【０００６】
本発明は前記従来の課題を解決するもので、高性能、高能力化が進む一方、設置スペースの制限から比較的自由な高さ方向への寸法が拡大する中で、熱交換器の全長を短くしたり、ファンの径を小さくしたりすることなく、また、運搬時の持ちやすさに配慮した取っ手を製品本体から出張らず美観を損なうことなく配置し、更には熱交換器の表面積を増大させ、より高性能、高能力を可能ならしめる空気調和機の室外機を提供することを目的とする。
【課題を解決するための手段】
【０００７】
前記従来の課題を解決するために本発明の空気調和機の室外機は、本体の底面を形成する基板上に、本体の一方の側面と背面に面してＬ型に形成され所定の寸法の空間を有してほぼ均等に上下２段に分割された熱交換器と、前記熱交換器の分割に対応して上下２個のファン及びファンモータとを備え、前記本体の所定の位置に有する運搬用の取っ手を前記熱交換器の空間を利用して設けたものである。
【０００８】
これによって、取っ手が熱交換器と干渉することなく、熱交換器の全長やファンの径を減じたり、室外機の長さを延長することなく、運搬時の持ちやすさに配慮された空気調和機の室外機を提供することが可能になる。
【発明の効果】
【０００９】
本発明の空気調和機の室外機は、美観を損なうことなく運搬時の持ちやすさに配慮した取っ手を有するもので、熱交換器の全長やファンの径を減じたり、室外機の長さを延長することなく構成することができる。
【発明を実施するための最良の形態】
【００１０】
第１の発明は、本体の底面を形成する基板上に、前記本体の一方の側面と背面に面してＬ型に形成され所定の寸法の空間を有してほぼ均等に上下２段に分割された熱交換器と、前記熱交換器の分割に対応して上下２個のファン及びファンモータとを備え、前記本体を運搬するための取っ手を前記熱交換器の空間を利用して設けることにより、、熱交換器の全長やファンの径を減じたり、室外機の長さを延長したりせずとも取っ手が熱交換器と干渉することなく、運搬時の持ちやすさに配慮した空気調和機の室外機を提供することが可能になる。
【００１１】
第２の発明は、第１の発明の取っ手を熱交換器に面した本体の側面を形成する側板に配置することにより、室外機が比較的軽量な場合、圧縮機が配置された右側面とは反対の左側面側には１つの取っ手の配置だけで済み、コストを抑えた室外機を提供できる。
【００１２】
第３の発明は、第１の発明の取っ手を、本体の背面を形成する後板に第１の取っ手を配置し、前面を形成するオリフィスを具備する前板の前記第１の取っ手と相対面する位置に第２の取っ手を配置したことにより、二方向からバランス良く持ち上げることができ、製品がより重量を増した場合にも安定して運搬することができる。
【００１３】
第４の発明は、第１〜第３の発明の取っ手を、上下２段に分割された熱交換器において、上熱交換器の高さをＨａ、下熱交換器の高さをＨｂとし、前記熱交換器の空間の高さをＨｓ、前記熱交換器の全長（平均）をＬ、取っ手の奥行きをＤとした時、Ｄ・（Ｈａ＋Ｈｓ＋Ｈｂ）＞Ｌ・Ｈｓを満足することにより、取っ手が熱交換器と干渉することなく配設することができ、熱交換器の全長やファンの径、奥行きを減じることなく、また運搬時の持ちやすさに配慮された取っ手を提供するだけでなく、熱交換器の表面積を増大し、さらにより高性能、高能力の室外機を提供することができる。
【００１４】
以下本発明の実施の形態について図面を参照しながら説明する。なお、この実施の形態によって本発明が限定されるものではない。
【００１５】
（実施の形態１）
図１は、本発明の第１の実施の形態における空気調和機の室外機の正面側の斜視図、図２は同じく室外機の背面側の斜視図、図３は同じく室外機の平面断面図、図４は正面断面図、図５は図４の要部拡大図である。
【００１６】
図１から図５において、空気調和機の室外機本体１の底面を形成する基板２上に、室外機本体１の左側面１ａと背面１ｂに面してＬ型に形成され、所定の寸法の空間Ｓを有してほぼ均等に上下２段に分割された熱交換器３（上熱交換器３ａ、下熱交換器３ｂ）が配設される。熱交換器３の左側面１ａ側の端部には上端板４ａと下端板４ｂとが形成され、これらを金具５で連結している。室外機本体１の右側面１ｃ側の熱交換器３の端部には上端板６ａと下端板６ｂとが形成され、これらを金具７で連結するとともに、これらの延長線上に形成された仕切板８によって圧縮機９、冷媒配管（図示せず）等の冷凍サイクル部品
を収納する機械室１０を形成している。
【００１７】
また、熱交換器３と仕切板８、及び室外機本体１の正面１ｄのオリフィス１１を具備した前板１２で形成される送風回路１３に、上下２個のファン１４ａ，１４ｂ及びファンモータ１５ａ，１５ｂを、これらを保持するファンモータ支持台１６を設けて配置している。そして、熱交換器３の空間Ｓに室外機本体１の左側面１ａを形成する側板１７に、熱交換器３の空間Ｓに突出するように取っ手１８を設けている。さらに、右側面１ｃ側で、圧縮機９等を収納した機械室１０の正面１ｄ側に取っ手１９ａ、背面１ｂ側に取っ手１９ｂを配置している。
【００１８】
以上のように構成された空気調和機の室外機について、以下その動作、作用を説明する。室外機本体１の上下の熱交換器３ａ、３ｂは空間Ｓを有してほぼ均等に分割されており、その空間Ｓに向けて側板１７より取っ手１８を突出しているので、平面構成上、熱交換器３をファン１４方向へ押しやることはない。また、上下にほぼ均等に分割された熱交換器３ａ、３ｂにそれぞれ対応してファン１４ａ、１４ｂがファンモータ支持台１６のファンモータ１５ａ、１５ｂを介してバランスよく配置されており、上下の熱交換器３ａ，３ｂを通過する風量もバランスがとれている。
【００１９】
以上のように、本実施の形態によれば、熱交換器３の空間Ｓを利用して左側面１ａを形成する側板１７より突出した取っ手１８を設けることにより、平面構成上、熱交換器３をファン１４方向へ押しやることもなく送風回路１３が最大限確保され、性能に大きく寄与するファン１４の径寸法を十分に確保した送風回路１３が可能となる。また、上下にほぼ均等に分割された上下熱交換器３ａ、３ｂにそれぞれ対応してファン１４ａ、１４ｂがバランスよく配置されているので送風バランスも確保され、高能力、高性能を実現しうる。さらに、左側面１ａに１つの取っ手１７を配置し、圧縮機９を搭載している機械室１０側に前後に２つの取っ手１９ａ、１９ｂを配置しているので、製品重量が比較的軽い場合には左側面１ａに１つで十分なためコスト的にも有利である。
【００２０】
（実施の形態２）
図６は、本発明の第２の実施の形態における空気調和機の室外機の正面側の斜視図、図７は同じく室外機の背面側の斜視図、図８は同じく室外機の平面断面図である。
【００２１】
図において、空気調和機の室外機本体１の熱交換器３等を実施の形態１と同様に形成しており、異なるのは、背面１ｂ側の後板２０の左側面１ａ側に第１の取っ手１８ａを配置し、正面１ｄ側のオリフィス１１を具備した前板１２の左側面１ａ側に第２の取っ手１８ｂを配置したことである。第１の取っ手１８ａは、上下に分割された上熱交換器３ａと下熱交換器３ｂの間の空間Ｓに突出するように構成している。
【００２２】
以上のように構成された空気調和機の室外機について、以下その動作、作用を説明する。室外機本体１の上下熱交換器３ａ、３ｂは空間Ｓを有してほぼ均等に分割されており、その空間Ｓに向けて、後板２０より第１の取っ手１８ａを突出しているので、平面構成上、熱交換器３をファン１４方向へ押しやることはない。また、上下にほぼ均等に分割された熱交換器３ａ、３ｂにそそれぞれ対応してファン１４ａ、１４ｂがファンモータ支持台１６のファンモータ１５ａ、１５ｂを介してバランスよく配置されており、上下の熱交換器３ａ，３ｂを通過する風量もバランスがとれている。
【００２３】
以上のように、本実施の形態によれば、熱交換器３の空間Ｓを利用して背面１ｂを形成する後板２０より突出した第１の取っ手１８ａを設けることにより、平面構成上、熱交換器３をファン１４方向へ押しやることもなく送風回路１３が最大限確保され性能に大きく寄与するファン１４の径寸法を十分に確保した送風回路１３が可能となる。また、上下に
ほぼ均等に分割された上下熱交換器３ａ、３ｂにそれぞれ対応してファン１４ａ、１４ｂがバランスよく配置されているので送風バランスも確保され、高能力、高性能を実現しうる。さらに、背面１ｂに第１の取っ手１８ａと左側面１ａ側の前板１２に第２の取っ手１８ｂ、圧縮機９を搭載している機械室１０側に前後に２つの取っ手１９ａ、１９ｂを配置しているので、製品重量が重くなった場合にも左側面１ａ近傍、右側面１ｃ近傍それぞれに２つずつ取っ手を有しているので、より安定して製品を運搬することができる。
【００２４】
（実施の形態３）
図９は、本発明の第３の実施の形態における空気調和機の室外機の熱交換器の平面図、図１０は同じく熱交換器の正面図である。
【００２５】
図において、所定の寸法の空間Ｓを有してほぼ均等に上下２段に分割された熱交換器３の空間Ｓに向けて、取っ手１８を突出している。また、上熱交換器３ａの高さをＨａ、下熱交換器の高さをＨｂ、空間Ｓの高さをＨｓ、熱交換器の全長（平均）をＬ、取っ手１８の奥行きをＤとした時、
Ｄ・（Ｈａ＋Ｈｓ＋Ｈｂ）＞Ｌ・Ｈｓ  （式１）
を満足する。
【００２６】
以上のように構成された熱交換器について、以下その作用を説明する。取っ手１８が熱交換器３の上下の空間Ｓを設けて収まっている場合の熱交換器３ａ、３ｂの表面積Ｓ１はＳ１＝Ｌ・（Ｈａ＋Ｈｂ）で表される。
【００２７】
また、熱交換器３に上下の空間Ｓが存在しない場合、熱交換器の全長は取っ手１８の奥行き寸法Ｄだけ短くなり熱交換器３の表面積Ｓ２はＳ２＝（Ｌ−Ｄ）・（Ｈａ＋Ｈｓ＋Ｈｂ）で表される。
【００２８】
両者の表面積の差△Ｓは、
△Ｓ＝Ｓ１−Ｓ２＝Ｌ・（Ｈａ＋Ｈｂ）−（Ｌ−Ｄ）・（Ｈａ＋Ｈｓ＋Ｈｂ）
＝Ｄ・（Ｈａ＋Ｈｓ＋Ｈｂ）−Ｌ・Ｈｓ
であるから、（式１）よりＳ１−Ｓ２＞０となる。
【００２９】
すなわち、空間Ｓの高さＨｓはほぼ取っ手１８の高さに等しく、取っ手１８はその高さと奥行きＤがほぼ等しいことより、熱交換器３における全長Ｌに対して全体の高さＨａ＋Ｈｓ＋Ｈｂが大きくなればなるほど両者の表面積差△Ｓが大きくなる。一例としてＤ＝Ｈｓ＝５０ｍｍ、Ｌ＝８００ｍｍ、Ｈａ＋Ｈｓ＋Ｈｂ＝１２００ｍｍの場合△Ｓ＝２００００ｍｍ２となる。
【００３０】
以上のように、本実施の形態によれば、所定の寸法の空間Ｓを有してほぼ均等に上下２段に分割された熱交換器３において、空間Ｓに向けて取っ手１８を突出して構成している場合、熱交換器３の平均長をＬ、上下に分割された上下熱交換器３ａ、３ｂの高さをそれぞれＨａ、Ｈｂ、空間Ｓの高さ（取っ手１８の高さ）Ｈｓ、取っ手１８の奥行きをＤとした時、Ｄ・（Ｈａ＋Ｈｓ＋Ｈｂ）＞Ｌ・Ｈｓを満足させている場合、逆に熱交換器３の表面積を増大に寄与し、さらにより高性能、高能力を具備した室外機を提供することができる。
【産業上の利用可能性】
【００３１】
以上のように、本発明にかかる空気調和機の室外機は、取っ手が熱交換器と干渉することなく、熱交換器の全長やファンの径を減じたり、室外機の長さを延長することなく、運搬時の持ちやすさに配慮されたものであるので、家庭や小型店舗等に設置される空気調和機の室外機に適用することができる。
【図面の簡単な説明】
【００３２】
【図１】本発明の第１の実施の形態を示す空気調和機の室外機の正面側の斜視図
【図２】同室外機の背面側の斜視図
【図３】同室外機の平面断面図
【図４】同室外機の正面断面図
【図５】図４の要部拡大図
【図６】本発明の第２の実施の形態を示す空気調和機の室外機の正面斜視図
【図７】同室外機の背面斜視図
【図８】同室外機の平面断面図
【図９】本発明の第３の実施の形態を示す空気調和機の室外機の熱交換器の平面図
【図１０】同熱交換器の正面図
【図１１】従来の空気調和機の室外機の平面断面図
【図１２】従来の空気調和機の室外機の平面断面図
【符号の説明】
【００３３】
１  室外機本体
１ａ  左側面
１ｂ  背面
２  基板
３  熱交換器
３ａ  上熱交換器
３ｂ  下熱交換器
１１  オリフィス
１２  前板
１３  送風路
１４ａ，１４ｂ  ファン
１５ａ，１５ｂ  ファンモータ
１７  側板
１８  取っ手
１８ａ  第１の取っ手
１８ｂ  第２の取っ手
１９ａ，１９ｂ  取っ手
２０  後板
【図１】
2007333255.tif 000003
【図２】
2007333255.tif 000004
【図３】
2007333255.tif 000005
【図４】
2007333255.tif 000006
【図５】
2007333255.tif 000007
【図６】
2007333255.tif 000008
【図７】
2007333255.tif 000009
【図８】
2007333255.tif 000010
【図９】
2007333255.tif 000011
【図１０】
2007333255.tif 000012
【図１１】
2007333255.tif 000013
【図１２】
2007333255.tif 000014